(57)【要約】　　　（修正有）【課題】扉の象眼調の模様は、従来は扉を複数の独立した部材を組み合わせて形成するので、組立作業が煩雑のものであった。これに対し、簡単な構成で容易に製造することができる象眼調の扉を提供する。【解決手段】面一状に複数本配置した下地材１の外側に薄い板状の表面部材２を巻き付けた状態で取り付ける。このように構成した扉３の表面に表面部材２を除去して下地材１が露出するように縦溝と横溝からなる溝４を形成し、その溝４に目地部材５を嵌入することを特徴とする。【選択図】　　　　図１
2004027616.tif 000002
【特許請求の範囲】
【請求項１】
下地材の表面側に表面部材を設けてなる扉において、表面部材に下地材にまで至る溝を形成すると共に、前記溝に目地部材を嵌入して成ることを特徴とする扉。
【請求項２】
溝を複数の縦溝及び横溝で形成し、横溝の端部を扉の端縁より内側に位置させて成ることを特徴とする請求項１記載の扉。
【請求項３】
目地部材の底下面に接着材が溜まる溜り凹部を凹設して成ることを特徴とする請求項１又は２記載の扉。
【請求項４】
縦溝及び横溝にて略井字状に囲まれる部分に表面シートを貼着して成ることを特徴とする請求項１乃至３のいずれかに記載の扉。
【請求項５】
表面シートの周端部を目地部材と該目地部材が嵌入される溝の内壁面で挟持して成ることを特徴とする請求項４記載の扉。
【発明の詳細な説明】
【０００１】
【発明の属する技術分野】
本発明は、表面に象眼調の模様を形成する扉に関するものである。
【０００２】
【従来の技術】
従来より、扉の表面には通常は模様を形成するものである。扉の模様としては、着色されたり模様を有する表面シートを扉の表面全体に貼着するものもあるが、象眼調の模様を形成するものがよく用いられる。
【０００３】
象眼調の模様は、従来は扉を複数の独立した部材を組み合せて形成するものであったため、扉の組み立て作業が煩雑なものであった。
【０００４】
【発明が解決しようとする課題】
本発明は上記の点に鑑みてなされたものであり、その目的とするところは、簡単な構成で容易に製造することができる象眼調の扉を提供することを課題とするものである。
【０００５】
【課題を解決するための手段】
上記課題を解決するために本発明に係る扉は、下地材１の表面側に表面部材２を設けてなる扉３において、表面部材２に下地材１にまで至る溝４を形成すると共に、前記溝４に目地部材５を嵌入して成ることを特徴とするものである。このような構成とすることで、扉３を一体的に構成してから溝４及び目地部材５にて象眼調の模様を形成できて、象眼調の扉３の製造が容易となる。
【０００６】
また、溝４を複数の縦溝４ａ及び横溝４ｂで形成し、横溝４ｂの端部４３を扉３の端縁より内側に位置させることが好ましい。このような構成とすることで、横溝４ｂの端部が扉３の端縁にまで至ってこの横溝４ｂの端面が見えて見苦しくなってしまうことがない。
【０００７】
また、目地部材５の底下面５２ａに接着材が溜まる溜り凹部５３を凹設することが好ましい。このような構成とすることで、接着材がはみだすのを防止することができる。
【０００８】
また、縦溝４ａ及び横溝４ｂにて略井字状に囲まれる部分Ａに表面シート６ａを貼着することが好ましい。このような構成とすることで、縦溝４ａ及び横溝４ｂにて略井字状に囲まれる部分Ａが別部材で構成されているように見えて見栄えが良くなるものである。
【０００９】
また、表面シート６ａの周端部６１を目地部材５と該目地部材５が嵌入される溝４の内壁面４１で挟持することが好ましい。このような構成とすることで、容易に表面シート６ａを縦溝４ａ及び横溝４ｂにて略井字状に囲まれる部分Ａに貼着することができる。
【００１０】
【発明の実施の形態】
以下、本発明を添付図面に示す実施形態に基づいて説明する。扉３は、図１に示すように、下地材１に表面部材２を設けて形成するもので、以下に説明する。
【００１１】
下地材１は、本実施形態では、上下方向を長手方向としてその長さ（即ち高さ）が扉３の高さとほぼ同じとなるように形成したものである。この下地材１を面一状に複数本配置し、その外側に表面部材２を巻き付ける状態で取付けるものである。表面部材２は、薄い板状をした部材で、表面側に表面シート６が貼着されており、折り曲げる箇所の裏面側にＶ溝２１を形成してあってこのＶ溝２１にて折り曲げるものである。
【００１２】
このように構成した扉３には、表面（表側面及び裏側面）に象眼用の溝４を形成するものである。溝４は、図３に示すように、上下方向の縦溝４ａと、水平方向の横溝４ｂからなる。この溝４は、表面部材２及び表面シート６を除去して下地材１が露出するように形成してある。縦溝４ａは、下地材１に沿って扉３の上下端に亘って形成するもので、横溝４ｂは、図２に示すように、その両端部が扉３の端縁より内側に位置するように形成してある。このような溝４は、ＮＣ加工機等の機械で形成するのであるが、断面円形の刃物で溝方向に沿って移動して加工するため、横溝４ｂの端部４３がＲを帯びた形状（即ち円弧状）となるものである。そこで、横溝４ｂに嵌入する目地部材５の端部にも横溝４ｂの端部４３のに合わせてＲを形成してある。
【００１３】
そして、このような溝４には、目地部材５が嵌入される。目地部材５は、図４に示すように、断面略コ字状をしたもので、両方の側片５１の外面間の距離が前記溝幅とほぼ同じに形成してあり、底片５２の下面５２ａが前記溝４の溝底４２に当接するように嵌入されるものである。また、目地部材５の側片５１の高さは、前記溝深さ（即ち表面部材２の厚み）とほぼ同じに形成してある。これにより、目地部材５の両方の側片５１が溝４の内壁面４１に圧接して強固に嵌入することができて、また、目地部材５の外側端部が表面部材２の表面（即ち表面シート２の外表面）とほぼ面一になるものである。
【００１４】
以上のような構成によれば、表面部材２に下地材１にまで至る溝４を形成すると共に、前記溝４に目地部材５を嵌入することで、扉３を一体的に構成してから溝４及び目地部材５にて象眼調の模様を形成できて、象眼調の扉３の製造が容易となる。また、横溝４ｂの端部４３を扉３の端縁より内側に位置させることで、横溝４ｂの端部が扉３の端縁にまで至ってこの横溝４ｂの端面が見えて見苦しくなってしまうことがない。
【００１５】
また、目地部材５の底片５２の下面である底下面５２ａには、接着材が溜まる溜り凹部５３を凹設してもよい。目地部材５は、上述したように溝４に嵌入するだけでなく接着材にて接着固定してもよいのであるが、この時、接着材が溝４と目地部材５との間からはみだして扉３の表面に出ないように接着材が溜まるように溜り凹部５３を形成しておくことで接着材がはみだすのを防止することができる。
【００１６】
次に、扉３の他例について図５乃至図７に基づいて説明する。このものにあっては、図５に示すように、縦溝４ａ及び横溝４ｂを四本ずつ形成し、一番外側の縦溝４ａ及び横溝４ｂで囲まれる領域の四隅に形成される四方を溝４で井字状に囲まれる部分Ａに、別の表面シート６ａを設けるものである。
【００１７】
この表面シート６ａは、上述したように扉３全体を形成するのに用いる表面シート６とは別種類（別色、別模様等）のものを用いる（以下、象眼用の表面シート６ａという）。そしてこの時、象眼用の表面シート６ａの周端部６１を折り込んで溝４と目地部材５との間に挟み込むことで取付けるものである。
【００１８】
象眼用の表面シート６ａは、図７に示すように、上述した溝４で井字状に囲まれる部分Ａと同様の形状をしたもので、各端辺から外側に折り込み用の縁部６１が設けてある。この象眼用の表面シート６ａを取付けて扉３に象眼調の模様を形成するには、図６に示すように、まず象眼用の表面シート６ａを上述した四方を溝４で井字状に囲まれる部分Ａの表面に当て、折り込み用の縁部６１を溝４の内部に折り込んで入れ、目地部材５を溝４に嵌入してこの目地部材５の側片５１と溝４の内壁面４１とで象眼用の表面シート６ａを挟み込んで固定する。
【００１９】
このようにすることで、縦溝４ａ及び横溝４ｂにて略井字状に囲まれる部分Ａが別部材で構成されているように見えて見栄えが良くなるものであり、また、表面シート６ａの周端部６１を目地部材５と該目地部材５が嵌入される溝４の内壁面４１で挟持することで、容易に表面シート６ａを縦溝４ａ及び横溝４ｂにて略井字状に囲まれる部分Ａに貼着することができる。
【００２０】
また、特に図示はしないが、象眼用の表面シート６ａは貼着シールであってもよく、この場合には象眼用の表面シート６ａの取付けを容易に行うことができる。また、この象眼用の表面シート６ａは、通常は表面シート６と別色のものを用いるのであるが、特に床面と同色とすることで見栄えが良くなるものである。
【００２１】
【発明の効果】
上記のように本発明の請求項１記載の発明にあっては、下地材の表面側に表面部材を設けてなる扉において、表面部材に下地材にまで至る溝を形成すると共に、前記溝に目地部材を嵌入したので、扉を一体的に構成してから溝及び目地部材にて象眼調の模様を形成できて、象眼調の扉の製造が容易となる。
【００２２】
また請求項２記載の発明にあっては、上記請求項１記載の発明の効果に加えて、溝を複数の縦溝及び横溝で形成し、横溝の端部を扉の端縁より内側に位置させたので、横溝の端部が扉の端縁にまで至ってこの横溝の端面が見えて見苦しくなってしまうことがない。
【００２３】
また請求項３記載の発明にあっては、上記請求項１又は２記載の発明の効果に加えて、目地部材の底下面に接着材が溜まる溜り凹部を凹設したので、接着材がはみだすのを防止することができる。
【００２４】
また請求項４記載の発明にあっては、上記請求項１乃至３記載の発明の効果に加えて、縦溝及び横溝にて略井字状に囲まれる部分に表面シートを貼着したので、縦溝及び横溝にて略井字状に囲まれる部分が別部材で構成されているように見えて見栄えが良くなるものである。
【００２５】
また請求項５記載の発明にあっては、上記請求項４記載の発明の効果に加えて、表面シートの周端部を目地部材と該目地部材が嵌入される溝の内壁面で挟持したので、容易に表面シートを縦溝及び横溝にて略井字状に囲まれる部分に貼着することができる。
【図面の簡単な説明】
【図１】本発明の扉の一実施形態の要部断面図である。
【図２】同上の扉の要部の斜視図である。
【図３】同上の扉の正面図である。
【図４】同上の扉における目地部材の溝への嵌入を説明する説明図である。
【図５】同上の扉の他例の正面図である。
【図６】同上の扉における目地部材の溝への嵌入及び表面部材の取付けを説明する断面図である。
【図７】同上における表面部材の正面図である。
【符号の説明】
１　下地材
２　表面部材
３　扉
４　溝
５　目地部材
【図１】
2004027616.tif 000003
【図２】
2004027616.tif 000004
【図３】
2004027616.tif 000005
【図４】
2004027616.tif 000006
【図５】
2004027616.tif 000007
【図６】
2004027616.tif 000008
【図７】
2004027616.tif 000009